(57)【要約】【課題】建物密集地においても通風性及びプライバシーの確保が可能な建物を提供することを目的とする。【解決手段】本発明に係る建物は、所定の階層において、平面視で略一直線状であり、両端部に出隅部が形成されるとともに、屋内と屋外とを連通可能な開口部が設けられた外周壁と、前記所定の階層において前記外周壁と非連続であり、前記外周壁に対して略平行に配置された独立壁と、を備え、前記独立壁は、少なくとも前記開口部に対向するとともに、前記外周壁の少なくとも一方の端部よりも突出している。【選択図】図２
2017214808.tif 000002
【特許請求の範囲】
【請求項１】
所定の階層において、平面視で略一直線状であり、両端部に出隅部が形成されるとともに、屋内と屋外とを連通可能な開口部が設けられた外周壁と、
前記所定の階層において前記外周壁と非連続であり、前記外周壁に対して略平行に配置された独立壁と、を備え、
前記独立壁は、少なくとも前記開口部に対向するとともに、前記外周壁の少なくとも一方の端部よりも突出していることを特徴とする建物。
【請求項２】
前記開口部には、屋外側に向かって外開き可能な建具が設けられており、
前記建具は、前記独立壁が前記外周壁よりも突出する前記少なくとも一方の端部側の一端が、他端に対して屋外側に移動して開くことを特徴とする、請求項１に記載の建物。
【請求項３】
前記外周壁と前記独立壁との間の屋外空間の鉛直方向上方を覆う屋根部を備え、
前記屋根部の少なくとも一部に採光が可能な採光部が設けられていることを特徴とする、請求項１又は２に記載の建物。
【請求項４】
前記採光部は、前記屋根部に形成された屋根開口であることを特徴とする、請求項３に記載の建物。
【請求項５】
前記外周壁は、浴室、トイレ、洗面室及び寝室の少なくとも１つを区画しており、
前記開口部は、前記外周壁のうち、前記浴室、前記トイレ、前記洗面室又は前記寝室と屋外とを連通可能な位置に設けられていることを特徴とする、請求項１乃至４のいずれか１つに記載の建物。
【請求項６】
平面視において前記外周壁と直交する別の外周壁が道路に面して建てられており、
前記独立壁は、平面視において、前記外周壁よりも前記道路に向かって突出していることを特徴とする、請求項１乃至５のいずれか１つに記載の建物。
【請求項７】
前記独立壁は、前記外周壁の両方の端部よりも突出していることを特徴とする、請求項１乃至６のいずれか１つに記載の建物。
【発明の詳細な説明】
【技術分野】
【０００１】
本発明は建物に関する。
【背景技術】
【０００２】
従来から、建物密集地等において採光性や通風性を確保するため、外周壁に開口部を設ける建物の構成が知られている。この種の建物として、特許文献１には、隣接する複数の敷地の敷地いっぱいを建築面積として建てられた隣接建物に囲まれている建物において、平面視で敷地の出隅部に近接するコーナー部が他の部位に対して、出隅部から離れる方向に後退する凹み部を有し、この凹み部に臨む窓部を有する居室が設けられた建物が開示されている。
【０００３】
また、特許文献２や特許文献３には、複数の住戸を隣接配置している集合住宅において、隣接配置された住戸間に、各住戸の採光性や通風性を確保する空間を配置するものが開示されている。
【先行技術文献】
【特許文献】
【０００４】
【特許文献１】特開２０００−２６５５６４号公報
【特許文献２】特開平５−５２０４４号公報
【特許文献３】特開２００２−２１３４５号公報
【発明の概要】
【発明が解決しようとする課題】
【０００５】
ところで、特許文献１に記載されている建物では、凹み部を設け、この凹み部に臨む窓部を有する居室を配置することにより採光性や通風性の向上が見込まれる一方で、窓部を開放すると隣接する敷地の建物からの視線が気になり、プライバシーの確保が難しいという問題がある。
【０００６】
これに対して、特許文献２や特許文献３に記載されている集合住宅では、隣接配置された住戸間に、各住戸の採光性や通風性を確保する空間を配置すると共に、この空間に隣接する両住戸のプライバシーを確保するため、空間内を２つに仕切る壁を配置するものであるが、集合住宅において隣接配置される住戸間の壁を前提とするものであり、そもそも建物の外部空間に露出する外周壁を想定したものではない。
【０００７】
そこで本発明は、建物密集地においても通風性及びプライバシーの確保が可能な建物を提供することを目的とするものである。
【課題を解決するための手段】
【０００８】
本発明の第１の態様としての建物は、所定の階層において、平面視で略一直線状であり、両端部に出隅部が形成されるとともに、屋内と屋外とを連通可能な開口部が設けられた外周壁と、前記所定の階層において前記外周壁と非連続であり、前記外周壁に対して略平行に配置された独立壁と、を備え、前記独立壁は、少なくとも前記開口部に対向するとともに、前記外周壁の少なくとも一方の端部よりも突出していることを特徴とするものである。
【０００９】
本発明の１つの実施形態として、前記開口部には、屋外側に向かって外開き可能な建具が設けられており、前記建具は、前記独立壁が前記外周壁よりも突出する前記少なくとも一方の端部側の一端が、他端に対して屋外側に移動して開くことが好ましい。
【００１０】
本発明の１つの実施形態として、前記外周壁と前記独立壁との間の屋外空間の鉛直方向上方を覆う屋根部を備え、前記屋根部の少なくとも一部に採光が可能な採光部が設けられていることが好ましい。
【００１１】
本発明の１つの実施形態として、前記採光部は、前記屋根部に形成された屋根開口であることが好ましい。
【００１２】
本発明の１つの実施形態として、前記外周壁は、浴室、トイレ、洗面室及び寝室の少なくとも１つを区画しており、前記開口部は、前記浴室、前記トイレ、前記洗面室又は前記寝室と屋外とを連通可能な位置に設けられていることが好ましい。
【００１３】
本発明の１つの実施形態としての建物は、平面視において前記外周壁と直交する別の外周壁が道路に面して建てられており、前記独立壁は、平面視において、前記外周壁よりも前記道路に向かって突出していることが好ましい。
【００１４】
本発明の１つの実施形態として、前記独立壁は、前記外周壁の両方の端部よりも突出していることが好ましい。
【発明の効果】
【００１５】
本発明によれば、建物密集地においても通風性及びプライバシーの確保が可能な建物を提供することができる。
【図面の簡単な説明】
【００１６】
【図１】本発明の一実施形態としての建物の１階平面図である。
【図２】図１に示す建物の２階平面図である。
【図３】図１に示す建物の屋上階の平面図である。
【図４】図１〜図３のＩ−Ｉ断面図である。
【図５Ａ】図１に示す建物の西側の立面図である。
【図５Ｂ】図１に示す建物の北側の立面図である。
【図５Ｃ】図１に示す建物の東側の立面図である。
【図５Ｄ】図１に示す建物の南側の立面図である。
【発明を実施するための形態】
【００１７】
以下、本発明に係る建物の実施形態について、図１〜図５を参照して説明する。なお、各図において共通の部材には、同一の符号を付している。
【００１８】
図１〜図３は、本発明に係る建物の一実施形態としての建物１を示す平面図である。具体的に、図１は、建物１の１階平面図であり、図２は建物１の２階平面図であり、図３は建物１の屋上階の平面図である。また、図４は、図１〜図３のＩ−Ｉ断面図である。
【００１９】
まず、建物１の全体構成について説明する。図１〜図４に示すように、建物１は、鉄骨造の軸組みを有する２階建ての工業化住宅である。換言すれば、建物１は複数の階層として２層を有するものである。
【００２０】
図１に示すように、建物１の１階には、玄関１１、廊下１２、リビング・ダイニング・キッチン（ＬＤＫ）１３、部屋１４、収納室１５、階段室１６等が配置されている。また、図２に示すように、建物２の２階には、廊下１７、リビング１８、複数の部屋１９ａ〜１９ｃ、洗面室２０、屋根付きの屋外空間２１、浴室２３、トイレ２４等が配置されている。
【００２１】
建物１は、地盤に固定された鉄筋コンクリート造の基礎構造体（図示省略）と、柱部材や梁部材などの軸組部材で構成された軸組架構を有し、基礎構造体に固定された上部構造体と、で構成されている。なお、軸組架構を構成する軸組部材は、規格化（標準化）されたものであり、予め工場にて製造されたのち建築現場に搬入されて組み立てられる。
【００２２】
基礎構造体は、軸組架構の下方に位置し、軸組架構を支持している。具体的に、基礎構造体は、鉄筋コンクリート造の断面Ｔ字状の布基礎であり、フーチング部と、基礎梁としての立ち上がり部とを備える。また、基礎構造体の立ち上がり部の上端部には、露出型固定柱脚工法により軸組架構の柱部材の柱脚を固定するための柱脚固定部が設けられ、アンカーボルトが立ち上がり部の上面から突出している。
【００２３】
上部構造体は、複数の柱部材及び柱部材間に架設された複数の梁部材から構成される軸組架構と、この軸組架構の各階層の外周部に配置される外周壁２と、階層間を上階屋内空間と下階屋内空間とに隔てる床仕切体３と、を備えている。なお、本実施形態の建物１は２階建ての住宅であるため、本実施形態の上階屋内空間は２階の屋内空間であり、本実施形態の下階屋内空間は１階の屋内空間である。
【００２４】
外周壁２は、外装部材と、断熱部材と、内装部材と、を含んでいる。外装部材は、例えば、軽量気泡コンクリート（以下、「ＡＬＣ」と記載する。「ＡＬＣ」とは「autoclaved light weight concrete」の略である。）のパネルにより構成することができ、軸組架構の周囲にＡＬＣパネルを複数連接させることにより、外周壁２の外層を形成することができる。断熱部材は、例えば、フェノールフォーム、ポリスチレンフォーム、ウレタンフォーム等の発泡樹脂系の材料で形成することができ、上述の外装部材により形成された外層の内面に沿って連接することにより、外周壁２の断熱層を形成することができる。更に、内装部材は、例えば、石膏ボードを用いることができ、断熱層の内側に連接することにより、外周壁２の内層を形成することができる。なお、図１、図２、図４では、外周壁２の外装部材、断熱部材及び内装部材を区別せずに一体として描いている。
【００２５】
床仕切体３は、床支持部材を含んでいる。床支持部材は、例えば、ＡＬＣパネルにより構成することができる。床支持部材は、梁部材間に架設され、梁部材により直接的又は間接的に支持される。なお、床仕切体３のうち後述する格子床部４０ａ及び４０ｂについては、床支持部材として、鋼材又は木材で形成された複数の桟材４１が用いられている。格子床部４０ａ及び４０ｂの詳細は後述する（図２等参照）。
【００２６】
ここで、「床仕切体」とは、上階屋内空間と下階屋内空間とを仕切るものであり、軸組架構を除く、下階屋内空間の天面から上階屋内空間の床面までの間に位置する部材の集合体を意味するものである。従って、床仕切体は、上述した床支持部材に加えて、例えば、床支持部材に対して直接的又は間接的に固定された、下階屋内空間の天井面を構成する天井内装部材や、床支持部材上に積層された、上階屋内空間の床面を構成するフローリング等の床内装部材などを含む概念である。そして、本実施形態の床仕切体３は、上階屋内空間としての２階の屋内空間と、下階屋内空間としての１階の屋内空間とを仕切るものである。
【００２７】
本実施形態の床仕切体３は、２階と１階とを連通する第１床開口部３ａ及び第２床開口部３ｂを区画している。具体的には、図２、図４に示すように、第１床開口部３ａは、２階の外周壁２のうち後述する南側の第４外周壁２ａ４の近傍、換言すれば、床仕切体３の南側端部に配置されており、第２床開口部３ｂは、２階の外周壁２のうち後述する北側の第２外周壁２ａ２の近傍、換言すれば床仕切体３の北側端部に配置されている。このように、本実施形態の第１床開口部３ａ及び第２床開口部３ｂは、床仕切体３のうち南北方向の両端部に形成されている。なお、図１では、説明の便宜上、第１床開口部３ａ及び第２床開口部３ｂの位置を破線により示している。
【００２８】
より具体的に、本実施形態の第１床開口部３ａ及び第２床開口部３ｂは、格子床部４０ａ及び４０ｂが区画する複数の開口により構成されている。具体的に、床仕切体３の平面視（図２参照）において、２階の外周壁２のうち後述する南側の第４外周壁２ａ４に隣接した位置に、第１格子床部４０ａが設けられており、第１床開口部３ａは、第１格子床部４０ａが区画する複数の開口により構成されている。また、床仕切体３の平面視（図２参照）において、２階の外周壁２のうち後述する北側の第２外周壁２ａ２に隣接した位置に、第２格子床部４０ｂが設けられており、第２床開口部３ｂは、第２格子床部４０ｂが区画する複数の開口により構成されている。
【００２９】
なお、本実施形態の第１格子床部４０ａは、下階屋内空間としての１階屋内空間の廊下１２の鉛直方向上方に設けられている。また、本実施形態の第２格子床部４０ｂは、下階屋内空間としての１階屋内空間のリビング・ダイニング・キッチン１３の北側端部の鉛直方向上方に設けられている。換言すれば、第１格子床部４０ａは、平面視において、廊下１２と重なる位置に配置されている。また、第２格子床部４０ｂは、平面視において、建物１の中で区画壁により周囲を区画された空間として床面積が最も大きい空間であるリビング・ダイニング・キッチン１３と重なる位置に配置されている。
【００３０】
第１及び第２格子床部４０ａ及び４０ｂは、上階屋内空間の床の一部であり、住人等は、第１及び第２格子床部４０ａ及び４０ｂの上を利用することができる。つまり、第１及び第２格子床部４０ａ及び４０ｂによれば、第１及び第２床開口部３ａ及び３ｂを備えるため、上階屋内空間の床面積を減らすことなく、上下階間での採光性及び通風性を確保し易い。
【００３１】
ここで、本実施形態の第１及び第２格子床部４０ａ及び４０ｂそれぞれは、間隔を空けて配置された複数の棒状の桟材４１を備えており、本実施形態における上述した第１床開口部３ａ及び第２床開口部３ｂを構成する複数の開口は、複数の桟材４１間に区画された複数の間隙である。換言すれば、本実施形態の第１及び第２格子床部４０ａ及び４０ｂは、すのこ状の床部である。
【００３２】
なお、本実施形態の第１床開口部３ａ及び第２床開口部３ｂは、第１及び第２格子床部４０ａ及び４０ｂの複数の桟材４１間に区画された間隙により構成されているが、上階屋内空間と下階屋内空間との間の通風を可能にする構成であればよく、本実施形態で示す第１床開口部３ａ及び第２床開口部３ｂの構成に限られるものではない。
【００３３】
また、図３、図４に示すように、建物１は陸屋根を備えるものであり、屋上階にはペントハウス２２が設けられている。ペントハウス２２は、１階の廊下１２の一部の鉛直方向上方に位置しており、１階の廊下１２の一部は、２階の第１床開口部３ａを介してペントハウス２２内まで連通する吹抜けになっている。ペントハウス２２の外壁には外部からペントハウス２２内に自然光を取り込むことが可能な採光窓２２ａが設けられている。採光窓２２ａには、例えば、ガラスなどの透明部材を含む開閉可能な建具が設けられている。
【００３４】
以下、建物１の特徴部分について説明する。
【００３５】
図１〜図４に示すように、本実施形態の外周壁２は、上階としての２階の周囲を取り囲む上階外周壁２ａと、下階としての１階の周囲を取り囲む下階外周壁２ｂと、を備えている。なお、「外周壁」とは、各階層において屋内外を仕切る壁を意味しており、外周壁の外側が「屋外」であり、外周壁の内側が「屋内」である。
【００３６】
ここで図５Ａ、図５Ｂ、図５Ｃ、図５Ｄそれぞれは、建物１の西側の立面図、北側の立面図、東側の立面図、南側の立面図である。図２及び図５に示すように、上階外周壁２ａは、西側の一側面を構成する第１外周壁２ａ１と、北側の一側面を構成する第２外周壁２ａ２と、東側の一側面を構成する第３外周壁２ａ３と、南側の一側面を構成する第４外周壁２ａ４と、を備えている。また、図１及び図５に示すように、下階外周壁２ｂは、西側の一側面を構成する第５外周壁２ｂ１と、北側の一側面を構成する第６外周壁２ｂ２と、東側の一側面を構成する第７外周壁２ｂ３と、南側の一側面を構成する第８外周壁２ｂ４と、を備えている。
【００３７】
図２に示すように、第１外周壁２ａ１は、平面視で南北方向に直線状に延在しており、廊下１７や洗面室２０や浴室２３等の西側を、屋根付きの屋外空間２１との間で区画している。また、図２に示すように、第２外周壁２ａ２は、平面視で東西方向に直線状に延在しており、リビング１８、部屋１９ａ、洗面室２０、浴室２３及びトイレ２４の北側を、建物１の外部空間との間で区画している。更に、図２に示すように、第３外周壁２ａ３は、平面視で南北方向に直線状に延在しており、部屋１９ａ〜１９ｃ等の東側を、建物１の外部空間との間で区画している。また更に、図２に示すように、第４外周壁２ａ４は、平面視で東西方向に直線状に延在しており、部屋１９ｃ、及び第１床開口部３ａが形成されたすのこ状の床部の南側を、建物１の外部空間との間で区画している。なお、建物の「外部空間」とは、屋外空間であって、かつ、屋根付きの屋外空間、屋上空間、テラス、ベランダ、バルコニー等の建物の居住者の専有空間を除く空間を意味している。具体的に、本実施形態の建物１の外部空間とは、屋外空間であって、かつ、屋根付きの屋外空間２１や玄関ポーチ１１ｂ等を除く空間である。
【００３８】
そして、平面視での第１外周壁２ａ１の延在方向（本実施形態では南北方向である。以下、単に「延在方向Ａ」と記載する。）における第１外周壁２ａ１の両端部は、平面視において第１外周壁２ａ１と直交する第２外周壁２ａ２及び第４外周壁２ａ４と連続して出隅部４ａ及び４ｂを形成している。また、上階外周壁２ａは、平面視において略四角形状を有しており、互いに略平行して延在する第１外周壁２ａ１及び第３外周壁２ａ３と、これら第１外周壁２ａ１及び第３外周壁２ａ３と略直交し、互いに略平行する第２外周壁２ａ２及び第４外周壁２ａ４と、で構成されている。
【００３９】
また、図１に示すように、第５外周壁２ｂ１は、平面視で南北方向に直線状に延在し、部屋１４、収納室１５及び階段室１６の西側を、玄関ポーチ１１ｂとの間で区画する第１部分と、平面視で南北方向に直線状に延在し、玄関１１等の西側を、建物１の外部空間との間で区画する第２部分と、第１部分及び第２部分を連続するように東西方向に直線状に延在し、玄関出入り口１１ａが設けられた第３部分と、で構成されている。第６外周壁２ｂ２は、平面視で東西方向に直線状に延在しており、リビング・ダイニング・キッチン（ＬＤＫ）１３及び部屋１４の北側を、建物１の外部空間との間で区画している。更に、第７外周壁２ｂ３は、平面視で南北方向に延在しており、リビング・ダイニング・キッチン（ＬＤＫ）１３等の東側を、建物１の外部空間との間で区画している。また更に、第８外周壁２ｂ４は、平面視で東西方向に直線状に延在しており、廊下１２の南側を、建物１の外部空間との間で区画している。なお、図１に示す玄関ポーチ１１ｂは屋外空間であり、この玄関ポーチ１１ｂの西側を区画する壁は、下階外周壁２ｂの一部を構成するものではない。
【００４０】
ここで、２階の第１外周壁２ａ１は、上階外周壁２ａの西側の一側面を構成しており、第１外周壁２ａ１には開口部３１ａ〜３１ｃが設けられている。具体的に、第１外周壁２ａ１のうち廊下１７の西側を、屋根付きの屋外空間２１との間で区画する部分には第１開口部３１ａが設けられている。また、第１外周壁２ａ１のうち洗面室２０の西側を、屋根付きの屋外空間２１との間で区画する部分には第２開口部３１ｂが設けられている。更に、第１外周壁２ａ１のうち浴室２３の西側を、屋根付きの屋外空間２１との間で区画する部分には第３開口部３１ｃが設けられている。
【００４１】
また、建物１は、少なくとも上述した第１〜第３開口部３１ａ〜３１ｃに対向する独立壁２ｃを備えている。より具体的に、独立壁２ｃは、所定の階層としての２階において、上述した第１〜第３開口部３１ａ〜３１ｃに対して屋外側（本実施形態では西側）の位置に、第１外周壁２ａ１と所定距離を隔てて対向して配置されており、第１外周壁２ａ１と対向する面と反対側（本実施形態では西側）の面が建物１の外部空間に露出している。また、独立壁２ｃは、平面視において、第１外周壁２ａ１と略平行して延在するように配置されている。また、独立壁２ｃには開口部が設けられていない。そして、建物１においては、第１外周壁２ａ１と独立壁２ｃとの間に、屋外空間２１としての屋根付きルーフバルコニーが設けられている。屋外空間２１としての屋根付きルーフバルコニーは、平面視（図２参照）にて、第１外周壁２ａ１の延在方向Ａ（本実施形態では南北方向）における両側（本実施形態では南側及び北側）が、建物１の外部空間に連通している。なお、「独立壁」とは、所定の階層において外周壁と非連続な壁を意味しており、本実施形態の独立壁２ｃは、２階において上階外周壁２ａと非連続な壁である。また、ここで言う「非連続」とは、外周壁と独立壁との間が全く繋がっていない構成に加えて、腰壁等の一部のみに設けられた壁が存在し、部分的に非連続な構成も含む意味である。
【００４２】
更に、独立壁２ｃは、平面視において、第１外周壁２ａ１の少なくとも一方の端部よりも突出している。具体的に、本実施形態の独立壁２ｃは、延在方向Ａの少なくとも一方側において、第１外周壁２ａ１よりも突出している。より具体的に、本実施形態の独立壁２ｃは、延在方向Ａの一方側としての南側において、第１外周壁２ａ１よりも南側に向かって突出する第１突出部８０ａと、延在方向Ａの他方側としての北側において、第１外周壁２ａ１よりも北側に突出する第２突出部８０ｂと、を有している。
【００４３】
ここで独立壁２ｃは、建物１の所定の階層としての２階において、第１外周壁２ａ１の屋外側に所定距離隔てて配置されるものであり、かつ、第１外周壁２ａ１を支持する基礎構造体に共に支持されるものである。つまり、独立壁２ｃと第１外周壁２ａ１とは同一又は連結されて一体化された共通の基礎構造体により支持されている。
【００４４】
建物１は、第１外周壁２ａ１と独立壁２ｃとの間で上述した屋外空間２１を区画するため、この屋外空間２１を通じた、延在方向Ａの一方から他方への風の流れを実現することができる。更に、独立壁２ｃは、上述した少なくとも１つの突出部（本実施形態では第１突出部８０ａ及び第２突出部８０ｂ）を有するため、突出部がウィンドキャッチャーとして機能し、建物１の外部空間から屋外空間２１へと風が取り込まれ易くなる。
【００４５】
また、建物１の第１外周壁２ａ１には、上述したように開口部としての第１〜第３開口部３１ａ〜３１ｃが設けられているため、第１〜第３開口部３１ａ〜３１ｃを通じて屋内へと風を取り込むことができ、屋内の通風性を確保することができる。
【００４６】
更に、独立壁２ｃは、第１〜第３開口部３１ａ〜３１ｃに対して屋外側の位置に設けられており、第１〜第３開口部３１ａ〜３１ｃを開放状態としても独立壁２ｃが目隠し壁として機能するため、上述した通風性の確保に加えて、プライバシーの確保をも実現し易い。
【００４７】
なお、本実施形態の第１外周壁２ａ１は、第１〜第３開口部３１ａ〜３１ｃを有するものであるが、開口部の数や位置は本実施形態に示すものに限られるものではなく、例えば、１つのみの開口部を有する構成や、４つ以上の開口部を有する構成としてもよい。また、本実施形態の第１開口部３１ａ及び第２開口部３１ｂには、開閉可能な建具３２ａ及び３２ｂとしての片開き戸が設けられ、本実施形態の第３開口部３１ｃには、開閉可能な建具３２ｃとしての引き違い窓が設けられているが、第１〜第３開口部３１ａ〜３１ｃに設けられる建具３２ａ〜３２ｃについては上述したものに限られるものではなく、例えば、掃き出し窓、ルーバー窓、滑り出し窓等としてもよい。
【００４８】
更に、本実施形態の独立壁２ｃは、延在方向Ａの両側に突出部を有する構成であるが、少なくともいずれか一方に設けられていればよい。但し、本実施形態の独立壁２ｃのように、延在方向Ａの両側に第１突出部８０ａ及び第２突出部８０ｂを設ける構成とすれば、建物１の周囲の風向や風量等に応じた一方向の風の流れを屋外空間２１内に発生させ易くすることができる。つまり、建物１の周囲の風環境に応じて、屋外空間２１内の風の流れが切り替わり易くなり、突出部を一方のみに設ける構成と比較して、屋外空間２１内で風の流れが発生する可能性をより向上させることができる。
【００４９】
また更に、本実施形態の屋外空間２１は、屋根付きルーフバルコニーであるが、鉛直方向下方に下階の屋内空間が設けられていないベランダやバルコニーなど、他の形態の屋外空間であってもよい。
【００５０】
以下、本実施形態の建物１の更なる詳細について説明する。
【００５１】
上述したように、第１〜第３開口部３１ａ〜３１ｃに設けられる建具３２ａ〜３２ｃの形態は特に限定されるものではないが、第１外周壁２ａ１の開口部に設けられる開閉可能な建具は、屋外空間２１側に向かって外開き可能なものであって、かつ、独立壁２ｃが第１外周壁２ａ１よりも突出する一方の端部側の一端、すなわち、延在方向Ａにおいて突出部が設けられている側の一端が、延在方向Ａにおける反対側の他端に対して屋外空間２１側に移動して開くものであることが好ましい。本実施形態では、後述する建物１の立地条件（図１参照）を考慮し、屋外空間２１において南から北に向かう風の流れが形成され易いことから、第１及び第２開口部３１ａ及び３１ｂに設けられた開閉可能な建具３２ａ及び３２ｂを、屋外空間２１側に向かって外開き可能な片開き戸で構成し、かつ、延在方向Ａにおける第１突出部８０ａ側の一端が、延在方向Ａにおける第１突出部８０ａ側と反対側（本実施形態では第２突出部８０ｂ側）の他端に対して屋外空間２１側に移動して開くものとしている。建具３２ａ及び３２ｂを開ける際の建具３２ａ及び３２ｂの移動方向を上述の方向とし、建具３２ａ及び３２ｂを操作して第１及び第２開口部３１ａ及び３１ｂを開放状態とすれば、第１突出部８０ａ側から屋外空間２１内に取り込まれた風が開放された建具３２ａ及び３２ｂに衝突し、第１開口部３１ａ及び第２開口部３１ｂから屋内へと入り込み易くなる。つまり、建具３２ａ及び３２ｂが風を屋内に誘導するウィンドキャッチャーとして機能し、屋内の通風性を向上させることができる。
【００５２】
なお、本実施形態の建物１の独立壁２ｃは、上述した第１突出部８０ａに加えて第２突出部８０ｂを有しているため、この第２突出部８０ｂ側から第１突出部８０ａ側に向かう風の流れをより効率的に屋内へと取り込むことを想定した場合には、建具３２ａ〜３２ｃを、延在方向Ａにおける第２突出部８０ｂ側の一端が、延在方向Ａにおける第２突出部８０ｂ側と反対側（本実施形態では第１突出部８０ａ側）の他端に対して屋外空間２１側に移動して開く構成とすればよい。また、上述した第１〜第３開口部３１ａ〜３１ｃとは別の開口部を第１外周壁２ａ１に設け、この開口部に設ける建具を、延在方向Ａにおける第２突出部８０ｂ側の一端が延在方向Ａにおける第２突出部８０ｂ側と反対側の他端に対して屋外空間２１側に移動することにより開く構成としてもよい。更に、建具３２ａ〜３２ｃを縦滑り出し形式のものにしてもよい。このようにすれば、屋外空間２１における双方向の風の流れを効率的に屋内へと取り込むことが可能となる。
【００５３】
また、図３に示すように、本実施形態の屋外空間２１は、鉛直方向上方を屋根部３３により覆われている。そのため、第１突出部８０ａ側及び第２突出部８０ｂ側の一方から屋外空間２１に入り込んだ風の大部分は、第１突出部８０ａ側及び第２突出部８０ｂ側の他方側に向かって流れる。これにより、屋外空間２１内に流れる風を、第１〜第３開口部３１ａ〜３１ｃ近傍を通過するように集中させることができ、第１〜第３開口部３１ａ〜３１ｃを通じて屋内に取り込まれ得る風量を増加させることができる。
【００５４】
ここで、図３に示すように、本実施形態の屋根部３３の少なくとも一部には、採光が可能な採光部３４が設けられている。また図２においても、説明の便宜上、採光部３４の位置を破線により示している。採光部３４は、例えば、ガラス等の透明部材を用いた透明部としてもよく、屋根部３３に形成された屋根開口としてもよい。屋根部３３に採光部３４を設けることにより、屋外空間２１のみならず、第１〜第３開口部３１ａ〜３１ｃを通じて屋内へと光を取り込むことが可能となる。なお、本実施形態の採光部３４は、屋根部３３に形成された屋根開口３４ａであり、この屋根開口３４ａは、平面視（図２及び図３参照）において、第１開口部３１ａ及び第２開口部３１ｂの近傍に形成されている。本実施形態のように採光部３４を屋根開口３４ａにより構成する場合には、屋外空間２１内の延在方向Ａにおける風の流れが著しく弱まることを防ぐため、屋根部３３の一部のみに部分的に屋根開口３４ａを設けることが好ましい。
【００５５】
更に、本実施形態の第１外周壁２ａ１は、洗面室２０及び浴室２３の西側を、屋外空間２１との間で区画しており、第２開口部３１ｂは、第１外周壁２ａ１のうち、洗面室２０と屋外空間２１とを連通可能な位置に設けられている。また、第３開口部３１ｃは、第１外周壁２ａ１のうち、浴室２３と屋外空間２１とを連通可能な位置に設けられている。つまり、本実施形態の独立壁２ｃを有する建物１によれば、屋内の中でもプライバシーの確保が特に求められる浴室２３等であっても、屋外空間との間を区画する第１外周壁２ａ１に、通風性及びプライバシーの確保が可能な第２開口部３１ｂ及び第３開口部３１ｃを設けることが可能となる。
【００５６】
なお、本実施形態の建物１では洗面室２０及び浴室２３と屋外空間２１とを区画する第１外周壁２ａ１に、洗面室２０及び浴室２３から屋外空間２１に繋がる開口部を設けたが、洗面室や浴室に限られるものではなく、例えば、トイレや寝室等、その他プライバシーの確保が特に求められる場所としてもよい。
【００５７】
また、図４に示すように、本実施形態の建物１では、２階の北側に位置する第２外周壁２ａ２、２階の南側に位置する第４外周壁２ａ４、１階の北側に位置する第６外周壁２ｂ２、及び１階の南側に位置する第８外周壁２ｂ４に、開閉可能な建具５１ａ、５２ａ、５３ａ及び５４ａが設けられた外壁開口５１、５２、５３及び５４が形成されている。また、図４に示すように、１階の廊下１２とリビング・ダイニング・キッチン１３との間の仕切壁５５には、開閉可能な建具５６ａが設けられた仕切壁開口５６が形成されている。更に、図４に示すように、２階のリビング１８と、第１床開口部３ａが形成されている屋内空間との間の仕切壁５７には、開閉可能な建具５８ａが設けられた仕切壁開口５８が形成されている。
【００５８】
このように、上下階を隔てる床仕切体３に第１床開口部３ａ及び第２床開口部３ｂを設けると共に、第１床開口部３ａ及び第２床開口部３ｂを含む垂直断面視（図４参照）において、第１床開口部３ａ及び第２床開口部３ｂを挟む水平方向の両側に位置する外周壁の部分（本実施形態では第２外周壁２ａ２、第４外周壁２ａ４、第６外周壁２ｂ２及び第８外周壁２ｂ４）に開閉可能な建具５１ａ〜５４ａが設けられた外壁開口５１〜５４を配置することにより、建具５１ａ〜５４ａが閉鎖状態の場合には、第１床開口部３ａ及び第２床開口部３ｂを通じて上下階の温度を均一化し易く、その一方で、建具５１ａ〜５４ａの開閉状態を操作すれば、外壁開口５１〜５４いずれかから屋内に取り込んだ外気を外壁開口５１〜５４の他のいずれかを通じて屋外に排出する風の流れを形成することができ、屋内での通風経路を所望の経路に制御することができる。
【００５９】
更に、上述した第１〜第３開口部３１ａ〜３１ｃに設けられた建具３２ａ〜３２ｃや、建物１内の仕切壁に設けられた建具の開閉状態をも操作すれば、より多くのパターンの通風経路を実現することができる。
【００６０】
最後に、本実施形態の建物１が建てられている敷地条件について説明する。図１及び図２に示すように、本実施形態の建物１は、平面視において第１外周壁２ａ１と直交する、建物１の南側の一側面を構成する第４外周壁２ａ４が、道路２００に面するように建てられている。また、図１〜図３に示すように、本実施形態の建物１は平面視において東西に長い略長方形の外形を有している。更に、図１に示すように、建物１の東側及び西側には、隣接する建物２０１及び２０２が位置している。そして、独立壁２ｃの第１突出部８０ａは、平面視（図２参照）において、第１外周壁２ａ１よりも道路２００に向かって突出している。独立壁２ｃの第１突出部８０ａを道路２００側に突出させることにより、建物密集地等で道路２００の延在方向に沿って流れる風を、第１突出部８０ａにより屋外空間２１内へと取り込み易く、屋外空間２１の通風性及び建物１の屋内の通風性を確保し易くすることができる。
【００６１】
なお、本実施形態の独立壁２ｃは、延在方向Ａにおける両端に第１突出部８０ａ及び第２突出部８０ｂを有するが、いずれか一方のみに突出部を設ける構成とする場合には、道路２００側に突出する第１突出部８０ａを設ける構成とすることが好ましい。また、第１突出部８０ａ及び第２突出部８０ｂを設ける構成であっても、第１突出部８０ａの突出長さを、第２突出部８０ｂの突出長さよりも長くすることが好ましい。のこのようにすれば、隣接する建物がない道路２００側から、道路２００の延在方向に沿って流れる風を屋外空間２１内に取り込み易くなる。
【００６２】
本発明に係る建物は、上述した実施形態に示した構成に限られるものではなく、特許請求の範囲に記載した発明の要旨を逸脱しない範囲で種々の変更が可能である。例えば、上述した建物１は、鉄骨造の軸組みを有する２階建ての住宅であるが、１階建て（平屋）の建物や３階建て以上の建物であってもよい。また、鉄骨造の軸組み構造に限られるものではなく、木造の軸組みを有する建物や、鉄筋コンクリート造の建物であってもよい。更に、上述した建物１では、建物１の西側に屋外空間２１を設けているが、屋外空間２１の位置は、建物１の立地条件等により適宜変更することが可能である。
【産業上の利用可能性】
【００６３】
本発明は建物に関する。
【符号の説明】
【００６４】
１：建物
２：外周壁
２ａ：上階外周壁
２ａ１：第１外周壁
２ａ２：第２外周壁
２ａ３：第３外周壁
２ａ４：第４外周壁
２ｂ：下階外周壁
２ｂ１：第５外周壁
２ｂ２：第６外周壁
２ｂ３：第７外周壁
２ｂ４：第８外周壁
２ｃ：独立壁
３：床仕切体
３ａ：第１床開口部
３ｂ：第２床開口部
４ａ、４ｂ：出隅部
１１：玄関
１１ａ：玄関出入り口
１１ｂ：玄関ポーチ
１２：廊下
１３：リビング・ダイニング・キッチン
１４：部屋
１５：収納室
１６：階段室
１７：廊下
１８：リビング
１９ａ〜１９ｃ：部屋
２０：洗面室
２１：屋外空間
２２：ペントハウス
２２ａ：採光窓
２３：浴室
２４：トイレ
３１ａ：第１開口部
３１ｂ：第２開口部
３１ｃ：第３開口部
３２ａ〜３２ｃ：建具
３３：屋根部
３４：採光部
３４ａ：屋根開口
４０ａ：第１格子床部
４０ｂ：第２格子床部
４１：桟材
５１〜５４：外壁開口
５１ａ、５２ａ、５３ａ、５４ａ：建具
５５、５７：仕切壁
５６ａ、５８ａ：建具
５６、５８：仕切壁開口
８０ａ：第１突出部
８０ｂ：第２突出部
２００：道路
２０１、２０２：隣接する建物
Ａ：平面視での第１外周壁の延在方向
【図１】
2017214808.tif 000003
【図２】
2017214808.tif 000004
【図３】
2017214808.tif 000005
【図４】
2017214808.tif 000006
【図５Ａ】
2017214808.tif 000007
【図５Ｂ】
2017214808.tif 000008
【図５Ｃ】
2017214808.tif 000009
【図５Ｄ】
2017214808.tif 000010